(57)【要約】【課題】小型で単純な構造を有するスケール除去具を提供する。【解決手段】管の内面のスケールを除去するためのスケール除去具であって、棒部材１０と、棒部材１０の先端部分等の一部分に形成された刃部２０と、棒部材１０の他の一部分の周辺に設けられ棒部材１０を管内においてセンタリングするセンタリング部３０と備える【選択図】図１
2005254358.tif 000002
【特許請求の範囲】
【請求項１】
管の内面のスケールを除去するためのスケール除去具であって、
棒部材と、
前記棒部材の一部分に形成された刃部と、
前記棒部材の他の一部分の周辺に設けられ前記棒部材を前記管内においてセンタリングするセンタリング部と、
を備えることを特徴とするスケール除去具。
【請求項２】
前記棒部材を前記管内において回転させるためのハンドルを更に備えることを特徴とする請求項１に記載のスケール除去具。
【請求項３】
管の内面のスケールを除去するためのスケール除去具であって、
一端に複数の刃が形成された金属製円筒部材と、
前記金属製円筒部材を前記管内においてセンタリングするように前記金属製円筒部材の一部分の周囲に設けられたセンタリング部と、
を備え、前記複数の刃は、前記金属製円筒部材の一端を前記金属製円筒部材の略軸方向に沿って切断して複数の片に分割した後に前記複数の片をねじって得られる構造を有することを特徴とするスケール除去具。
【請求項４】
前記金属製円筒部材を前記管内において回転させるためのハンドルを更に備えることを特徴とする請求項３に記載のスケール除去具。
【発明の詳細な説明】
【技術分野】
【０００１】
本発明は、管の内面のスケールを除去するために使用されるスケール除去具に関する。
【背景技術】
【０００２】
水等の液体を移送するための管内にはスケールが付着することが知られている。管内のスケール量が過大になると、管路抵抗が増して液体の流量が低下しうる。また、スケールが塊となって管の内面から脱落すると、それが液体とともに下流に供給されてノズル等を詰らせうる。
【０００３】
特許文献１に、管内面のスケールを除去する装置が開示されている。特許文献１に開示された装置は、清掃用エアノズルが設けられたビームをガイドに沿って移動させる機構を有する。
【特許文献１】特開平８−１２６９４４号公報
【発明の開示】
【発明が解決しようとする課題】
【０００４】
特許文献１に開示された装置は、溶接管等の製造のように、大量の管を取り扱う上では優れたものであるかもしれない。しかしながら、一般に、製造関連設備の構成要素として使用されている管のスケール除去のように、使用頻度があまり高くない用途での使用においては、特許文献１に開示されたような大掛かり且つ複雑な装置は、コスト面で不利である。また、大掛かりなスケール除去装置は、その運搬、保管、据え付け等に多大な労力を要求する。
【０００５】
本発明は、上記のような課題認識に基づいてなされたものであり、小型で単純な構造を有するスケール除去具を提供することを目的とする。
【課題を解決するための手段】
【０００６】
本発明の第１の側面のスケール除去具は、管の内面のスケールを除去するためのスケール除去具として構成され、棒部材と、前記棒部材の一部分に形成された刃部と、前記棒部材の他の一部分の周辺に設けられ前記棒部材を前記管内においてセンタリングするセンタリング部とを備える。ここで、本発明の好適な実施形態によれば、前記スケール除去具は、前記棒部材を前記管内において回転させるためのハンドルを更に備えることが好ましい。
【０００７】
本発明の第２の側面のスケール除去具は、管の内面のスケールを除去するためのスケール除去具として構成され、一端に複数の刃が形成された金属製円筒部材と、前記金属製円筒部材を前記管内においてセンタリングするように前記金属製円筒部材の一部分の周囲に設けられたセンタリング部とを備え、前記複数の刃は、前記金属製円筒部材の一端を前記金属製円筒部材の略軸方向に沿って切断して複数の片に分割した後に前記複数の片をねじって得られる構造を有する。ここで、本発明の好適な実施形態によれば、前記スケール除去具は、前記金属製円筒部材を前記管内において回転させるためのハンドルを更に備えることが好ましい。
【発明の効果】
【０００８】
本発明によれば、小型で単純な構造を有するスケール除去具を提供することができる。
【発明を実施するための最良の形態】
【０００９】
以下、添付図面を参照しながら本発明の好適な実施形態を説明する。
【００１０】
図１は、本発明の好適な実施形態のスケール除去具の概略構成を示す側面図である。スケール除去具１００は、各種の菅に挿入され、菅の内面のスケールを除去するために使用される。スケール除去具１００の寸法は、スケール除去対象の菅の長さや径に応じて適宜決定されうる。スケール除去具１００は、例えば、瓶等の容器を洗浄する洗浄装置に備えられた洗浄液移送用の管等の内部に付着したスケールを除去するように構成されうる。
【００１１】
スケール除去具１００は、棒部材１０と、棒部材１０の一部分（例えば、先端部分）の周辺に例えば放射状に形成された刃部２０と、棒部材１０の他の一部分（例えば、先端部分と後端部分との間）の周囲に設けられ棒部材１０をスケール除去対象の管内においてセンタリングするセンタリング部３０とを備える。棒部材１０は、例えば、円筒形状（中空形状）を有してもよいし、中実の部材で構成されてもよい。
【００１２】
管の内面のスケールを除去する際は、スケール除去具１００を管内に挿入し押し進めながら棒部材１０を回転させればよい。この回転に伴って刃部２０が管の内面のスケールを削り落とす。棒部材１０を回転させる作業を容易にするためには、棒部材１０にハンドル４０を設けることが好ましい。
【００１３】
センタリング部３０を備えることにより、管内に挿入された棒部材１０は、刃部２０及びセンタリング部３０によって管に対して同心状に配置され、管の内面に対して刃部２０を適切に当接させることができる。これは、管の内面を過度に削って損傷を与えたり、逆に管の内面に刃部２０が当たらないことによるスケールの除去不良が起こったりすることを防止することに寄与する。センタリング部３０は、例えば、複数の突起部３１を含んで構成されうる。管へのスケール除去具１００の挿入を容易にするためには、複数の突起部３１で規定される径（突起部の外縁を通る仮想円の径）は、棒部材１０の前方（挿入方向）に向かって小さくなっていることが好ましい。
【００１４】
刃部２０は、複数の刃２１を含んで構成されうる。複数の刃２１は、典型的には、放射状に設けられうる。図２及び図３は、刃部２０の構造及び形成方法の一例を示す図である。まず、図２に示すように、棒部材１０としての金属製円筒部材の先端部分を軸方向に沿って切断して切り込み２２を形成し、これにより金属製円筒部材の先端部分を複数（図２では４つ）の片２２に分割する。次いで、図３に示すように、各片２３をねじることにより複数の刃２１を形成することができる。
【００１５】
この実施形態によれば、極めて低いコストでスケール除去具を準備することができる。また、この実施形態によれば、構造を単純化することにより、スケール除去具を軽量化、小型化することができ、保管、運搬等を容易にすることができる。
【図面の簡単な説明】
【００１６】
【図１】本発明の好適な実施形態のスケール除去具の概略構成を示す側面図である。
【図２】刃部の構造及び形成方法の一例を示す図である。
【図３】刃部の構造及び形成方法の一例を示す図である。
【符号の説明】
【００１７】
１０  棒部材
２０  刃部
２１  刃
２２  切り込み
２３  片
３０  センタリング部
３１  突起部
４０  ハンドル
【図１】
2005254358.tif 000003
【図２】
2005254358.tif 000004
【図３】
2005254358.tif 000005